(57)【要約】本発明は、非ストロボスコープディスプレイデバイス、特に、液晶ディスプレイパネル（ＬＣＤ）、薄膜トランジスタディスプレイ（ＴＦＴ）、色順次ディスプレイ、プラズマディスプレイパネル（ＰＤＰ）、デジタルマイクロミラーデバイス又は有機発光ダイオード（ＯＬＥＤ）ディスプレイで示される画像のモーションブラーを低減するための方法及び回路装置であって、入力ビデオ信号の各画像内の動く成分に基づく動きベクトルは計算され、前記入力ビデオ信号のアンチモーションブラーフィルタリングが前記計算された動きベクトルに基づいて実行されて出力ビデオ信号が発生され、前記出力ビデオ信号に基づいて前記ディスプレイデバイスに画像が生成される、方法及び回路装置に関する。より少ない雑音強調及びより少ない雑音変調を有する改善された空間フィルタリングを提供するために、前記入力ビデオ信号の各画像のエッジ特性が決定され、アンチモーションブラーフィルタリングは、更に、前記決定されたエッジ特性に基づくことが提案される。このようにして、空間フィルタリングは画像の有意な部分にのみ集中し、雑音強調及び雑音変調の両方が低減される。
2005527163.tif 000002
【特許請求の範囲】
【請求項１】
非ストロボスコープディスプレイデバイス、特に、液晶ディスプレイパネル（ＬＣＤ）、薄膜トランジスタディスプレイ（ＴＦＴ）、色順次ディスプレイ、プラズマディスプレイパネル（ＰＤＰ）、デジタルマイクロミラーデバイス又は有機発光ダイオード（ＯＬＥＤ）ディスプレイで示される画像のモーションブラーを低減するための方法であって、入力ビデオ信号の各画像内の動く成分に基づく動きベクトルは計算され、前記入力ビデオ信号のアンチモーションブラーフィルタリングが前記計算された動きベクトルに基づいて実行されて出力ビデオ信号が発生され、前記出力ビデオ信号に基づいて前記ディスプレイデバイスに画像が生成される、方法において、
前記入力ビデオ信号の各画像のエッジ特性が決定され、
アンチモーションブラーフィルタリングは、更に、前記決定されたエッジ特性に基づくことを特徴とする方法。
【請求項２】
請求項１に記載の方法において、前記エッジ特性は、エッジベクトルの長さ及び／又は方向、及び／又はエッジの存在であることを特徴とする方法。
【請求項３】
請求項２に記載の方法において、前記エッジベクトルの前記長さ及び／又は方向は、固定閾値によって減じられる、２つの直交方向の前記画像信号の一次導関数の絶対値のゼロクロッシングから導かれることを特徴とする方法。
【請求項４】
請求項３に記載の方法において、前記エッジベクトルの長さ及び方向の計算では低いエッジ及び細いエッジは考慮されないことを特徴とする方法。
【請求項５】
請求項２乃至４の何れか１項に記載の方法において、エッジの前記存在は、前記エッジベクトルをバイナリ信号にサンプリングすることによって検出されることを特徴とする方法。
【請求項６】
請求項５に記載の方法において、エッジの前記存在は、空間に対して前記バイナリ信号を拡大及び／又は減衰及び／又はローパスフィルタリングすることによって取り除かれることを特徴とする方法。
【請求項７】
請求項１乃至６の何れか１項に記載の方法において、アンチモーションブラーフィルタリングは、
前記入力ビデオ信号を空間フィルタでフィルタリングし、
続いて、前記フィルタリングされた入力ビデオ信号を前記入力ビデオ信号自身と組み合わせて中間ビデオ信号を発生させ、
前記中間ビデオ信号を利得係数で乗算して増幅された中間信号を発生させ、
前記増幅された中間信号を前記入力ビデオ信号と組み合わせて出力ビデオ信号を発生させる、
ことによって実行されることを特徴とする方法。
【請求項８】
請求項７に記載の方法において、前記入力ビデオ信号に適用される前記空間フィルタは、高空間周波数ブーストフィルタであることを特徴とする方法。
【請求項９】
請求項８に記載の方法において、
前記高空間周波数ブーストフィルタのフィルタ係数及びこのフィルタの周波数特性の方向は、前記動きベクトルに基づき、
前記利得係数は、前記動きベクトルの長さ及びエッジの前記存在に基づくことを特徴とする方法。
【請求項１０】
請求項８に記載の方法において、
前記高周波数ブーストフィルタのフィルタ係数及び前記フィルタの周波数特性の方向は、前記動きベクトルに基づき、
前記利得係数は、エッジベクトルと当該エッジベクトルの前記長さに正規化された動きベクトルとの内積に基づくことを特徴とする方法。
【請求項１１】
請求項８に記載の方法において、
前記高空間周波数ブーストフィルタの周波数特性の方向は、前記エッジベクトルの前記方向に基づき、
前記高空間周波数ブーストフィルタのフィルタ係数は、前記動きベクトルに基づき、
前記利得係数は、前記動きベクトル及び／又は前記エッジベクトルに基づくことを特徴とする方法。
【請求項１２】
請求項８に記載の方法において、
前記高空間周波数ブーストフィルタの周波数特性の方向は、前記エッジベクトルの前記方向に基づき、
前記高空間周波数ブーストフィルタのフィルタ係数は、前記エッジベクトルに基づき、
前記利得係数は、前記動きベクトル及び／又は前記エッジベクトルに基づくことを特徴とする方法。
【請求項１３】
請求項８に記載の方法において、
前記高空間周波数ブーストフィルタのための固定された組のフィルタ係数が用いられ、
前記空間フィルタの周波数特性の方向は、前記エッジベクトルの前記方向に基づき、
前記利得係数は、前記動きベクトル及び／又は前記エッジベクトルに基づくことを特徴とする方法。
【請求項１４】
請求項１１乃至１３の何れか１項に記載の方法において、前記利得係数は、前記動きベクトルの長さ及びエッジの前記存在に基づくことを特徴とする方法。
【請求項１５】
請求項１１乃至１３の何れか１項に記載の方法において、前記利得係数は、エッジベクトルと当該エッジベクトルの前記長さに正規化された動きベクトルとの内積に基づくことを特徴とする方法。
【請求項１６】
非ストロボスコープディスプレイデバイス、特に、液晶ディスプレイ（ＬＣＤ）、薄膜トランジスタディスプレイ（ＴＦＴ）、色順次ディスプレイ、プラズマディスプレイパネル（ＰＤＰ）、デジタルマイクロミラーデバイス又は有機発光ダイオード（ＯＬＥＤ）ディスプレイであって、
入力ビデオ信号の各画像内の動きベクトルを計算する手段と、
前記入力ビデオ信号を前記計算された動きベクトルに基づいてフィルタリングして出力ビデオ信号を発生させる手段と、
前記出力ビデオ信号の画像をディスプレイパネルに表示する手段と、
を有するディスプレイデバイスにおいて、
前記入力ビデオ信号の各画像のエッジ特性を決定する手段を備え、
前記入力ビデオ信号を前記計算された動きベクトル及び前記決定されたエッジ特性に基づいてフィルタリングする手段を備えることを特徴とするディスプレイデバイス。
【発明の詳細な説明】
【技術分野】
【０００１】
本発明は、非ストロボスコープディスプレイデバイス、特に、液晶ディスプレイパネル（ＬＣＤ）、薄膜トランジスタディスプレイ（ＴＦＴ）、色順次ディスプレイ（Colour
Sequential Displays）、プラズマディスプレイパネル（ＰＤＰ）、デジタルマイクロミラーデバイス又は有機発光ダイオード（ＯＬＥＤ）ディスプレイで示される画像のモーションブラーを低減するための方法であって、入力ビデオ信号の各画像内の動く成分に基づく動きベクトルは計算され、前記入力ビデオ信号のアンチモーションブラーフィルタリングが前記計算された動きベクトルに基づいて実行されて出力ビデオ信号が発生され、前記出力ビデオ信号に基づいて前記ディスプレイデバイスに画像が生成される、方法に関する。本発明は、更に、アンチモーションブラー機能を提供する回路装置に関する。
【背景技術】
【０００２】
非ストロボスコープディスプレイ、例えば、液晶ディスプレイ（ＬＣＤ）、プラズマパネルディスプレイ（ＰＤＰ）、薄膜トランジスタディスプレイ（ＴＦＴ）、色順次ディスプレイ、デジタルマイクロミラーデバイス又は有機発光ダイオード（ＯＬＥＤ）ディスプレイは、光を変調するための画素（ピクセル）の行列アレイを有するディスプレイパネルと、前記ディスプレイパネルを前面又は後面から照光するための手段と、加えられた入力ビデオ信号に従って前記ピクセルを駆動するための駆動手段とからなる。
【０００３】
最新型の陰極線管（ＣＲＴ）においては、表示される画像の各ピクセルは、パルスとして生成され、このパルスは、画像期間Ｔと比較して非常に短い。これらの最新型のＣＲＴとは異なり、新しいフラットな、高品質の、低コストのディスプレイデバイスにおいては、各ピクセルは、画像期間の大部分の間表示される。当然、この非ストロボスコープ動作は、前記画像期間に対して無視できない時間の間ピクセル（例えば遅いリン原子）がアクティブである種類のＣＲＴにもあてはまる。従ってこの説明以降においては、ストロボスコープディスプレイと非ストロボスコープディスプレイとの間でしか区別はなされず、非ストロボスコープディスプレイにおいては、光変調アレイの素子及びＣＲＴタイプのディスプレイの励起された（遅い）原子の両方に用語「ピクセル」が用いられる。
【０００４】
非ストロボスコープディスプレイに表示される画像の一部でも動きを含む場合、ビューアはこの動きをトラッキングする。各ピクセルは実質的に全画像期間表示されるので、動きを示すピクセルの強度は、動きの軌道に沿って以下のように積分される：
【数１】
2005527163.tif 000003
ここで、ｔｉは各画像の表示時間、Ｆは入力ビデオ信号、Ｆｏｕｔは出力ビデオ信号、そしてＴは画像期間である。動きベクトル
【数２】
2005527163.tif 000004
は、オブジェクト速度
【数３】
2005527163.tif 000005
と画像期間Ｔとの積である。ｔｉが一定の場合、この積分は、
【数４】
2005527163.tif 000006
とサンプルアンドホールド関数ｈ（α）との畳込みと同じである：
【数５】
2005527163.tif 000007
ここで、
【数６】
2005527163.tif 000008
は、動きベクトル
【数７】
2005527163.tif 000009
に沿う方向を向いた１Ｄブロック関数である。従って、これは、実際は２Ｄ関数
【数８】
2005527163.tif 000010
であり、これは、線分
【数９】
2005527163.tif 000011
の外にゼロ値を有し、２Ｄ積分面積は１に正規化される。２Ｄ空間フーリエ変換は、以下の通りである。
【数１０】
2005527163.tif 000012
ここで
【数１１】
2005527163.tif 000013
は、元の信号
【数１２】
2005527163.tif 000014
の２Ｄ空間フーリエ変換であり、
【数１３】
2005527163.tif 000015
は、
【数１４】
2005527163.tif 000016
の２Ｄ空間フーリエ変換である：
【数１５】
2005527163.tif 000017
【０００５】
明らかに、モーショントラッキング／時間的サンプルアンドホールド特性の効果は、ｓｉｎｃ形の周波数応答を伴う動き方向のローパスフィルタリングであり、ここでカットオフ周波数は量
【数１６】
2005527163.tif 000018
に反比例する。
【０００６】
ヨーロッパ特許出願公開第０６５７８６０号から、非ストロボスコープディスプレイにおけるモーションブラーが、ディスプレイパネルのピクセルを駆動する入力ビデオ信号のアンチモーションブラーフィルタリングで予め補償されることができることは知られている。ヨーロッパ特許出願公開０６５７８６０号において、このアンチモーションブラーフィルタリングは、推定された動きベクトルに基づいて高空間周波数ブーストフィルタによって実行される。マトリクスディスプレイ上の移動しているオブジェクトのビューアがピクセルの強度を動きの軌道に沿って積分し、これは、式５によれば、空間周波数領域におけるローパスフィルタリングに対応するので、モーションブラーは、移動しているオブジェクトの高空間周波数を強調することによって低減されることができる。動く成分の速度が高いほど、強調を必要とするスペクトラムの部分は大きくなる。
【０００７】
提案された解決策の欠点は、動きベクトルの信頼性がない領域では、即ち、コントラストがほとんどない領域では、フィルタリングが、画像を改善することなく実行される可能性があるということである。更に、フィルタリングが雑音変調を生じさせる可能性さえある。この場合、フィルタリングが有意なディテール（significant detail）を改善することができない画像の平坦部がフィルタリングされる。しかし、これは、雑音パターンにおける目に見える差（即ち雑音変調）を生じうる。
【発明の開示】
【発明が解決しようとする課題】
【０００８】
従って、本発明の目的は、より小さい雑音強調及びより小さい雑音変調を伴う改善された空間フィルタリングを提供することである。
【課題を解決するための手段】
【０００９】
本発明の目的を達成するために、入力ビデオ信号の各画像のエッジ特性が決定され、アンチモーションブラーフィルタリングが更に前記決定されたエッジ特性に基づく、ことが提案される。このようにして、空間フィルタリングは画像の有意な部分のみに集中し、雑音強調及び雑音変調は低減される。
【００１０】
本発明の好適な実施例において、更に、エッジベクトルの長さ及び／又は方向等のエッジ特性、及び／又はエッジの存在が提案される。
【００１１】
好適には、前記エッジ特性は、雑音の感度を低減させるため固定閾値によって減じられる、２つの直交方向の前記画像信号の一次導関数の絶対値のゼロクロッシングから導かれる。
【００１２】
好適には、前記エッジベクトルの長さ及び方向の計算において、低いエッジ及び細いエッジは考慮されない。
【００１３】
好適には、エッジの存在は、エッジベクトルをバイナリ信号にサンプリングすることによって検出される。
【００１４】
本発明の他の好適な実施例によれば、エッジの存在は、前記バイナリ信号を空間に対して拡大（dilating）及び／又は減衰（corroding）及び／又はローパスフィルタリングすることによって取り除かれる。
【００１５】
本発明の他の好適な実施例は、アンチモーションブラーフィルタリングが、前記入力ビデオ信号を空間フィルタでフィルタリングし、続いて、前記フィルタリングされた入力ビデオ信号を前記入力ビデオ信号自身と組み合わせて中間ビデオ信号を発生させ、前記中間ビデオ信号を利得係数で乗算して増幅された中間信号を発生させ、前記増幅された中間信号を前記入力ビデオ信号と組み合わせて出力ビデオ信号を発生させる、ことにより実行されることを提案する。前記乗算において、適用される利得係数は、ピクセルに特有であることができ、又は、一群のピクセルに対して一定であることができる。
【００１６】
入力ビデオ信号に適用される空間フィルタは、有利には、高空間周波数ブーストフィルタとして実現されてもよい。このフィルタは、コストを節約して信号処理を簡略化するために１Ｄフィルタとして実現されることができ、又は、標準の２Ｄフィルタとして、若しくは、前の若しくは次の画像からの画像データもフィルタリングプロセスにおいて用いられるならば、３Ｄフィルタとして実現されることさえできる。
【００１７】
本発明の他の有利な実施例において、ローパス、ミッドパス又はハイパス等のフィルタ特性の種類を決定する、高空間周波数ブーストフィルタのフィルタ係数、及び、この空間フィルタの周波数特性の方向は、動きベクトルに依存する一方で、利得係数は動きベクトルの長さ及びエッジの存在に依存する。このとき雑音強調及び雑音変調は、改善が達成されない、画像中のディテールの低い部分の画像処理を抑制することによって低減される。エッジ特性をポイントオブインタレスト（point of interest）セレクタとして用いることにより、画像の種々の部分における処理の量の区別がなされることができる。
【００１８】
他の好適な実施例において、高周波数ブーストフィルタのフィルタ係数及びフィルタの周波数特性の方向は、動きベクトルに基づき、利得係数は、エッジベクトルと当該エッジベクトルの長さに正規化された動きベクトルとの内積に基づく。
【００１９】
このとき画像処理は、利得制御によって、動きベクトルとエッジベクトルとの間の角度が小さい画像の部分に集中し、このことは、対応する動きベクトルが水平方向を向いていれば、対応する垂直エッジベクトルとの垂直輝度遷移はモーションブラーによって影響を及ぼされないという事実を反映している。
【００２０】
本発明の更に他の有利な実施例は、フィルタの周波数特性の方向は、エッジベクトルの方向に基づき、高空間周波数ブーストフィルタのフィルタ係数は、動きベクトル及び／又はエッジベクトルに基づき、利得係数は、動きベクトル及び／又はエッジベクトルに依存する、ことを提案する。画像処理のこの方向制御は、動きベクトルはアパーチャの問題のために信頼性がない可能性がある、即ち、エッジと平行の動きベクトル成分については大きい推定エラーが発生する、という事実を考慮する。エッジと平行な動き推定は困難である。なぜなら、エッジに対して垂直の場合と対比して、エッジに対して平行の場合は、動きベクトル推定アルゴリズムが処理すべきディテールがほとんど又は全く利用可能でないからである。動きベクトルの方向ではなくエッジベクトルの方向にアンチモーションブラーフィルタリングを実行することによって、モーションブラーは、より小さい雑音強調及び雑音変調を伴って低減される。
【００２１】
本発明の低コストの実施例は、高空間周波数ブーストフィルタのための固定された組のフィルタ係数が用いられ、空間フィルタの周波数特性の方向は、エッジベクトルの方向に基づき、利得係数は、動きベクトル及び／又はエッジベクトルに依存する、ことを提案することにより達成される。このとき高空間周波数ブーストフィルタは、空間フィルタの周波数特性の方向のみが局所的な画像特性に基づくため、非常に簡略化される。画像処理が行われる画像の部分を規定する利得は、動き及びエッジベクトルによって制御される。
【００２２】
好適には、利得係数の動きベクトル及び／又はエッジベクトルへの依存性は、動きベクトルの長さ及びエッジの存在に関連してよい。
【００２３】
好適には、利得係数の動きベクトル及び／又はエッジベクトルへの依存性は、更に、エッジベクトルと当該エッジベクトルの長さに正規化された動きベクトルとの内積に関連してよい。このとき、アンチモーションブラーフィルタリングは、主に、動きベクトルとエッジベクトルとの間の角度が小さい画像の部分において実行される、即ち、エッジを横切る動きベクトルの部分のみがシャープネス強調のために用いられる。
【００２４】
本発明は、更に、非ストロボスコープディスプレイデバイス、特に、液晶ディスプレイ（ＬＣＤ）、薄膜トランジスタディスプレイ（ＴＦＴ）、色順次ディスプレイ、プラズマディスプレイパネル（ＰＤＰ）、デジタルマイクロミラーデバイス又は有機発光ダイオード（ＯＬＥＤ）ディスプレイであって、入力ビデオ信号の各画像内の動きベクトルを計算する手段と、前記入力ビデオ信号を前記計算された動きベクトルに基づいてフィルタリングして出力ビデオ信号を発生させる手段と、前記出力ビデオ信号の画像をディスプレイパネルに表示する手段とを有するディスプレイデバイスにおいて、前記入力ビデオ信号の各画像のエッジ特性を決定する手段を備え、前記入力ビデオ信号を前記計算された動きベクトル及び前記決定されたエッジ特性に基づいてフィルタリングする手段を備えるディスプレイデバイスを含む。
【発明を実施するための最良の形態】
【００２５】
本発明のこれらの及び他の側面は、以下で説明される実施例を参照して説明され明らかにされる。
【００２６】
図１は、提案されたエッジに基づいたモーションブラーの低減を有するディスプレイシステムの第１の実施例を表す。入力ビデオ信号１は、アンチモーションブラーフィルタ２によってフィルタリングされ、出力ビデオ信号３を与える。この目的のため、入力ビデオ信号１は、動き推定インスタンス４及びエッジ推定インスタンス５に供給される。動き推定インスタンス４は、入力ビデオ信号１の各画像の動きベクトルの推定を作成する。エッジ推定インスタンスは、エッジベクトルを計算し、及び／又は入力ビデオ信号１の各画像のエッジの存在を決定する。動き推定インスタンス４及びエッジ推定インスタンス５の出力は、アンチモーションブラーフィルタ２に供給される。
【００２７】
入力ビデオ信号の各画像のエッジは、輝度遷移を識別することによって決定されることができる。この目的のため、輝度信号の一次導関数が水平方向
【数１７】
2005527163.tif 000019
及び垂直方向
【数１８】
2005527163.tif 000020
の両方において計算され、ここで、
【数１９】
2005527163.tif 000021
は二次元の輝度（画像）信号である。
【００２８】
このとき、これらの方向のエッジ幅は、導関数信号のゼロクロッシング間の距離（即ち両方向の遷移の幅）を測定することによって計算されることができる。雑音に対する感度を低減するために、絶対導関数信号から閾値Ｔｈ及びＴｖが減じられることができる。
【００２９】
水平エッジ幅
【数２０】
2005527163.tif 000022
は、上記信号のゼロクロッシングの間の距離
【数２１】
2005527163.tif 000023
であり、垂直エッジ幅
【数２２】
2005527163.tif 000024
は、上記信号のゼロクロッシングの間の距離
【数２３】
2005527163.tif 000025
である。
【００３０】
エッジに対して垂直なエッジ幅は、以下によって与えられる：
【数２４】
2005527163.tif 000026
【００３１】
これらの幅は、エッジ内の（ゼロクロッシング内の）全ての点に割り当てられる。
【００３２】
エッジ検出アルゴリズムの雑音に対する堅牢性を更に向上させるため、
【数２５】
2005527163.tif 000027
及び類似した
【数２６】
2005527163.tif 000028
のための条件は、以下のように用いられることができる。
【数２７】
2005527163.tif 000029
ここで、Ｔｒは、固定された閾値を示す。
【００３３】
この式は、エッジの幅はその高さと逆比例であるべきであるとしており、低いエッジ及び細いエッジ（おそらく雑音である）の放棄という結果を生じる。水平及び垂直エッジ幅についての知識を、両方向のエッジの勾配（白から黒又は黒から白）と組み合わせられて有することによって、エッジの方向角
【数２８】
2005527163.tif 000030
を計算することが可能である。このとき、エッジ幅
【数２９】
2005527163.tif 000031
と共にエッジベクトル
【数３０】
2005527163.tif 000032
が決定されることができる。
【００３４】
図１にて示されるようにアンチモーションブラーフィルタが高空間周波数ブーストフィルタ（ＨＦＢＦ）６に基づいて実現されれば、入力ビデオ信号は、次のように処理される：
【００３５】
入力ビデオ信号１は、最初にＨＦＢＦ６によってフィルタリングされ、フィルタリングされた入力ビデオ信号を発生させる。このフィルタリングされたビデオ信号は、このとき入力ビデオ信号１と組み合わせられ、中間信号を与える。続いて中間信号は利得係数ｋによって乗算され、増幅された中間信号を発生させ、次にこの中間信号は、入力ビデオ信号１と組み合わせられて出力ビデオ信号３を発生する。次に出力ビデオ信号３は、ディスプレイパネルの行及び列ピクセルを駆動する。
【００３６】
中間信号が、フィルタリングされた入力ビデオ信号から入力ビデオ信号を減ずることによって発生されるならば、両信号の差は、フィルタリングが行われた空間周波数の非ゼロ成分しか有さないということは明らかである。利得係数ｋは、このフィルタリングが所望されるか及びこのフィルタリングがどの程度まで所望されるかを選択すること（例えば増幅された中間信号のダイナミックレンジを低減すること）を許可する。
【００３７】
このときＨＦＢＦ６は、フィルタ係数ｆの組及びＨＦＢＦの周波数特性の方向によって特徴付けられることができる。図１によれば、フィルタ係数
【数３１】
2005527163.tif 000033
及び方向
【数３２】
2005527163.tif 000034
の両方が、動き推定インスタンス４及びエッジ推定インスタンス５の結果に基づいて、フィルタ係数・フィルタ方向制御インスタンス７によって決定される。同様に、利得係数
【数３３】
2005527163.tif 000035
は、利得係数制御インスタンス８によって、動き推定インスタンス４及びエッジ推定インスタンス５の結果に基づいて決定される。
【００３８】
図１は、動き及びエッジ依存のモーションブラー低減の最も一般的な場合を説明する。フィルタ係数
【数３４】
2005527163.tif 000036
、フィルタの周波数特性の方向
【数３５】
2005527163.tif 000037
及び利得係数
【数３６】
2005527163.tif 000038
は、動き推定インスタンス４及びエッジ推定インスタンス５の両方の結果に基づいてもよい。例えば、アンチモーションブラーフィルタリングが画像の特定のポイントオブインタレストについてのみ所望されるならば、フィルタ係数
【数３７】
2005527163.tif 000039
は、動き及び／又はエッジベクトルに基づき、フィルタの周波数特性の方向
【数３８】
2005527163.tif 000040
は、動きベクトルの方向に基づき、利得係数
【数３９】
2005527163.tif 000041
は、エッジの存在
【数４０】
2005527163.tif 000042
及び動きベクトルの長さ
【数４１】
2005527163.tif 000043
に依存するので、アンチモーションブラーフィルタリングは、画像のエッジがあるときにしか実行されない。エッジの存在
【数４２】
2005527163.tif 000044
は、エッジベクトルの関数を表し、エッジベクトルを１ビット信号（エッジがあるかないか）にサンプリングし、これらの信号を場合によっては拡大及び減衰することによって、得られてもよい。
【００３９】
これに非常に類似して、利得制御されたフィルタリングにおいては、フィルタ係数
【数４３】
2005527163.tif 000045
は、動き及び／又はエッジベクトルに基づき、フィルタの周波数特性の方向
【数４４】
2005527163.tif 000046
は、動きベクトルに基づくが、利得係数
【数４５】
2005527163.tif 000047
は、エッジベクトルと当該エッジベクトルの長さに正規化された動きベクトルとの内積に依存する、即ち、
【数４６】
2005527163.tif 000048
従って、フィルタリングは、エッジと動きベクトルとの間の角度が小さいときにのみ実行される。
【００４０】
対照的に、方向制御されたフィルタリングにおいては、フィルタの周波数特性の方向
【数４７】
2005527163.tif 000049
は、エッジと平行の動きベクトル推定が実行されなければならない場合に起こる動きベクトルの推定エラーを回避するために、エッジベクトルの方向に依存する。フィルタ係数
【数４８】
2005527163.tif 000050
及び利得係数
【数４９】
2005527163.tif 000051
は、今度も、動きベクトル及び／又はエッジベクトルに基づいてよい。利得係数
【数５０】
2005527163.tif 000052
については、エッジの存在及び動きベクトルの長さに対する依存性
【数５１】
2005527163.tif 000053
又は動きベクトルとエッジベクトルとの正規化された内積に対する依存性
【数５２】
2005527163.tif 000054
が考えられてもよい。
【００４１】
図２は、エッジ依存のモーションブラー低減を有するディスプレイシステムの第２の実施例、特に低コストのバージョンを表す。図１と対比して、固定された組のフィルタ係数
【数５３】
2005527163.tif 000055
がHBEF6のために使用され、フィルタ係数・フィルタ方向制御インスタンス７は、単純化されてフィルタ方向制御インスタンスになっている。更に、動き推定インスタンス４の結果は、利得係数制御インスタンス８のみに影響を与え、もはやフィルタ方向制御インスタンス７には影響を与えない。この構成は、アンチモーションブラーフィルタリングが、モーションブラーが実際に発生するエッジベクトルの方向にしか実行されないことを保証する。従って、画像シャープネスを改善するのではなく、雑音を強調し雑音を変調するエッジと平行のフィルタリングは、省略される。雑音の強調を更に低減するため、利得係数
【数５４】
2005527163.tif 000056
は、例えば、利得
【数５５】
2005527163.tif 000057
を両ベクトルの内積に比例して選択することによって、動き及びエッジベクトルに基づいて制御される。
【００４２】
この構成において現在の画像内の動きの量に関わりなく固定されたフィルタ係数
【数５６】
2005527163.tif 000058
は、動きの量の平均値に基づいてもよく、又は、幾つかの画像期間のドウェルタイムによって更新されてもよい。このような低コストのフィルタの１Ｄの例として、タップ［−１  ２  −１］を有するＦＩＲフィルタが、隣接したピクセルに適用されて、要求される式５のフィルタの逆フィルタに接近させられてもよい。この低コストバージョンのＨＦＢＦは、有利には、理論的に必要とされる式５のフィルタに対する逆フィルタの極を回避し、また、幾つかのフィルタタップしか有さない。
【図面の簡単な説明】
【００４３】
【図１】エッジに基づいたモーションブラー低減を有するディスプレイシステムの第１の実施例の概略図を示す。
【図２】エッジに基づいたモーションブラー低減を有するディスプレイシステムの第２の実施例の概略図を示す。
【図１】
2005527163.tif 000059
【図２】
2005527163.tif 000060
【国際調査報告】
2005527163.tif 000061
2005527163.tif 000062
2005527163.tif 000063